(57)【要約】      （修正有）【課題】バッグ内に複数の小物を一括して収容しても、迅速且つ簡単に取り出すことができる保持具を提供する。【解決手段】携帯電話、財布、手帳、鍵等の小物ＣをバッグＡ内に取り出し易く収容保持する保持具Ｂであって、前記小物類を連結保持する複数本の紐部材１と、一端に各種小物を連結した複数本の紐部材が絡まないように仕分け、且つその紐部材の他端側を一括してバッグの外部に案内導出させる仕分け案内部材２と、前記紐部材におけるバッグの外部に導出された端部に連結する目印３とを有する。【選択図】図１
0003115192.tif 000002
【実用新案登録請求の範囲】
【請求項１】
携帯電話、財布、手帳、鍵等の小物をバッグ内に取り出し易く収容保持する保持具であって、
前記小物類を連結保持する複数本の紐部材と、
一端に各種小物を連結した複数本の紐部材が絡まないように仕分け、且つその紐部材の他端側を一括してバッグの外部に案内導出させる仕分け案内部材と、
前記紐部材におけるバッグの外部に導出された端部に連結する目印と、
を有していることを特徴とするバッグ収容物保持具。
【請求項２】
前記仕分け案内部材は、各紐部材を絡まないように仕分ける仕分け片と、その仕分けられた複数本の紐部材を一括してバッグ外に導出するリングとの二部材で構成されていることを特徴とする請求項１記載のバッグ収容物保持具。
【請求項３】
前記仕分け案内部材は、平板に紐部材を挿通する通孔を放射状に開設した一部材で構成されていることを特徴とする請求項１記載のバッグ収容物保持具。
【考案の詳細な説明】
【技術分野】
【０００１】
本考案は、バッグ（ショルダーバッグ、ボストンバッグ、Day  Pack、リュックサック等）内に、財布、携帯電話、手帳、鍵等の小物を取り出し易く収納保持する保持具に関する。
【背景技術】
【０００２】
一般的に、女性の人は携帯電話、財布、手帳、鍵（キーホルダ）等の小物をバッグに入れて持ち歩いている。そして、上記小物は殆どが仕分けることなく、バッグ内に無造作に纏めて入れられている。
【０００３】
従って、バッグに入れてあるもので必要なものができた時は、バッグの中を手探りする、或いは引っ掻き回して探すなど、素早く目的の物を取り出すことはできない。
特に、何でもバッグに詰めて持ち歩く最近の傾向の元では、更に探しにくくなっている。
【０００４】
上記問題を解決するものとして、バッグの外部から目視可能な部位に目印用クリップを係止し、この目印用クリップとバッグ内に収容する特定の物品とを紐で連結するものが提案されている（例えば、特許文献１参照）。
【０００５】
しかし、特許文献１に記載のものは、特定の物品が一つだけであれば、記載されているような効果が得られるが、特定の物品が複数である場合は、それぞれ物品が連結された紐同士が絡み合い、目的の物品が連結された紐或いは目印用クリップを引っ張っても、目的の物品が出にくいという問題点を有する。
即ち、複数の小物の取出し具としては使い難いという問題点を有する。
【０００６】
【特許文献１】特開２０００−６０６２６号公報
【考案の開示】
【考案が解決しようとする課題】
【０００７】
本考案は上記した従来の技術が有する問題点に鑑みてなされたもので、その課題とするところは、複数の小物を一括して収容しても、迅速且つ簡単に取り出すことができる保持具を提供することにある。
【課題を解決するための手段】
【０００８】
上記課題を解決するために本考案のバッグ収容物保持具は、携帯電話、財布、手帳、鍵等の小物をバッグ内に取り出し易く収容保持する保持具であって、前記小物類を連結保持する複数本の紐部材と、一端に各種小物を連結した複数本の紐部材が絡まないように仕分け、且つその紐部材の他端側を一括してバッグの外部に案内導出させる仕分け案内部材と、
前記紐部材におけるバッグの外部に導出された端部に連結する目印と、を有していることを特徴とする（請求項１）。
上記紐部材としては、組紐、革紐、鎖等、引っ張られても容易に切断等しないものであればよく、その紐部材の一端はクリップやリング等の連結具を介して間接的に小物に連結する、或いは小物に直接連結するなど何れでもよい。
上記紐部材の他端に連結する目印は、当該紐部材に連結されている小物が何であるかを他の小物と区別できるものであればよく、その区別の形態は形状、色彩、材質、文字・記号（点字プレート）等、何れでもよい。
【０００９】
上記手段によれば、それぞれ小物を連結した紐部材は仕分け案内部材で絡まないように仕分けられ、目印が取り付けられた端部はバッグ外部に纏めて導出されているため、目的の小物を取り出す時は、複数ある目印の中から目的の小物を連結した紐部材に連結されている目印を引っ張ることで、多数の小物が収容されている中から目的の小物だけが引き上げられる。従って、目的の小物を迅速且つ適確に取り出すことができる。
【００１０】
前記仕分け案内部材は、各紐部材を絡まないように仕分ける仕分け片と、その仕分けられた複数本の紐部材を一括してバッグ外に導出するリングとの二部材で構成されていることを特徴とする（請求項２）。
上記仕分け片は、例えば、平板に複数の紐部材を１本１本独立して挿通する通孔を開口したもので、その平板の形状は長方形、正方形、円形等、任意である。
又、上記リングは、複数本の紐部材をバラバラにならずに纏めてバッグの外に案内するもので、そのリングの形状は、円形に限らず、角形、楕円形等、任意である。
【００１１】
上記手段によれば、仕分け片を通ってリングに案内される紐部材は絡み合うことは無く、従って、各紐部材は引っ張り動作に対してスムーズに移動し、目的の小物を適確に明示する。
【００１２】
又、前記仕分け案内部材は上記二部材からなる構成の他に、一部材で構成してもよい（請求項３）。例えば、平板に紐部材を挿通する通孔を放射状に開設した形態等が挙げられる。
尚、本考案に係る保持具はどのような形態のバッグにも適用可能であるが、特に、収容物の出し入れ口が、一般的な上部の出し入れ口の他に該バッグの周面（側面）にファスナー等で開閉できるように設けられたもの等には有効である。
【考案の効果】
【００１３】
本考案のバッグ収容物保持具は、請求項１〜３記載の構成により、小物を連結した紐部材は絡まることなく、バッグ外にまとめて導出されるため、目的の小物の取り出しを迅速且つ適確に行なうことができる。
【考案を実施するための最良の形態】
【００１４】
以下、本考案の実施の形態の一例を図面に基づいて説明する。
図１は、仕分け案内部材を仕分け片とリングの二部材で構成した形態を示し、図中、Ａはバッグ、Ｂは前記バッグＡ内に収容される小物（携帯電話、財布、手帳、鍵など）Ｃに連結した保持具で、その保持具Ｂは、複数本の紐部材１と、それら複数本の紐部材１を絡まないように仕分ける仕分け片２’と、その仕分けられた紐部材１を纏めてバッグＡ外に案内導出するリング２”とからなる仕分け案内部材２と、紐部材１の開放側端部に連結した目印３で構成されている。
【００１５】
上記紐部材１は、小物Ｃを連結し、引張力が作用しても簡単に切断等しない強度を有したもので、例えば、適宜色彩に染色した組紐を使用し、その紐部材１の一端を小物Ｃに直接又は間接的に連結する。紐部材１を小物Ｃに対して直接又は間接の何れの形態で連結するかは、連結する小物Ｃに応じて適宜選択する。
【００１６】
紐部材１を小物Ｃに直接連結する場合は、該紐部材１の端部を折り返し、その折り返した端部を結束して輪を作り、その輪部分を小物Ｃに連結する。
又、紐部材１を小物Ｃに間接的に連結する場合は、金属線等で成形された開閉自在な環体４や、クリップ等を使用することができる。
【００１７】
上記仕分け片２’は、合成樹脂製の平板を平面略長方形状のプレート２ａに裁断し、そのプレート２ａに紐部材１を挿通する通孔２ｂが、長手方向に沿って複数個（図面では４個）を並列開口して形成されている。そして、この仕分け片２’は、前記紐部材１に挿通係着するだけでもよいが、目的の小物Ｃに連結された紐部材１の摺動をスムーズに行わせるためには、該仕分け片２’と小物Ｃとの間に紐部材１が移動し得る距離を確保するために仕分け片２’をバッグＡの上部の出し入れ口５近傍内側に係止してもよい。尚、プレート２ａの形状は図示の長方形に限定されず、他の形状でもよく、要は各紐部材１が離れて配置されればよい。
【００１８】
上記リング２”は、前記仕分け片２’の通孔２ｂを通った紐部材１がバッグＡの外に案内導出される時、複数本の紐部材１がバラバラになるのを抑え、一括して纏めておくもので、その素材は合成樹脂製、或いは木製、金属製等、何れでもよいが、紐部材１が接触しても抵抗が少なく、紐部材の移動を阻害しない材質を選択する。従って、紐部材１の材質に合わせて選択するのが好ましい。
又、そのリング２”の形状は図示の円形に限らず、角形、楕円形等何れでもよい。そして、このリング２”は、バッグＡの上部に設けられた出し入れ口５の近傍外側に位置する提げ手に止め具を用いて定着される。尚、リング２”の定着は、図示した提げ手に係着する形態に限られるものではなく、紐で結束するなどして定着してもよい。
【００１９】
上記リング２”を通ってバッグＡの外側に案内される紐部材１の端部に連結される目印３は、紐部材１に連結されている小物Ｃが何であるかを使用者が区別する為の目印で、該目印は、素材（ガラス、合成樹脂、木材等）、形状、色彩などの組み合わせで形成されている。
又、目印３としては、視力の弱い使用者に対しては点字プレートを、或いはキャラクター（人形）、健康グッズ（例えば、胡桃の実）等を用いてもよい。
更に、目印３として防犯用ブザーを連結使用した場合は、防犯用ブザーの紐を引くことでベルが鳴動し、盗難防止にも貢献する。又、目印３は、バッグＡと一体となって携行されるため、実用的な品物、例えば、リングで綴じた単語帳カードを目印として使用してもよい。
【００２０】
上記構成により、例えば、今、携帯電話Ｃ１を取り出したい時、携帯電話Ｃ１を連結した紐部材１ａの目印３ａを引っ張ると、図２に示すように、携帯電話Ｃ１を連結した紐部材１ａが仕分け片２’とリング２”とによって他の小物Ｃを連結した紐部材１と絡み合うことなくバッグＡの上部の出し入れ口５側へ移動され、バッグＡの底にある他の小物Ｃから引き離されて取り出しやすくなる。そして、バッグＡが周面（側面）にも出し入れ口６が形成されている場合は、その出し入れ口６のファスナー６’を明けて簡単に取り出すことができる。勿論、上部の取り出し口５から目的の小物Ｃを取り出してもよいものである。
【００２１】
図３は保持具Ｂを構成する仕分け案内部材を一部材で構成した実施例を示し、その仕分け案内部材７は平面円形のプレート７ａの周縁に沿って紐部材１を挿通する通孔７ｂを放射状に開口して形成されている。これにより、紐部材１は絡み合うことなく、且つバラバラにならずに纏まって管理される。尚、同図で、前示実施例で示したと同じ部材については、同一の符号を付し、説明を省略する。
【図面の簡単な説明】
【００２２】
【図１】本考案に係る保持具の一例を示す一部切欠斜視図。
【図２】同使用状態を示す一部切欠斜視図。
【図３】仕分け案内部材の他の例を示す斜視図。
【符号の説明】
【００２３】
Ａ…バッグ                      Ｂ…保持具
Ｃ…小物                        １…紐部材
２、７…仕分け案内部材片          ２’…仕分け片
２”…リング                      ３…目印
【図１】
0003115192.tif 000003
【図２】
0003115192.tif 000004
【図３】
0003115192.tif 000005